【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
ａ）超吸収性ポリマーを基準として５５重量％〜９９．９重量％の、重合性不飽和酸基含有モノマーの超吸収性ポリマー；及び
ｂ）重合性不飽和酸基含有モノマーを基準として０．００１重量％〜５重量％の内部架橋剤；
ｃ）重合性不飽和酸基含有モノマーを基準として５０ｐｐｍ〜１０００ｐｐｍの熱開始剤；
を含む超吸収性ポリマーを含む超吸収性ポリマー組成物であって、
該超吸収性ポリマーは２５％を超える中和度を有し；成分ａ）、ｂ）及びｃ）は重合されて架橋ヒドロゲルとなり、次にこのヒドロゲルが超吸収性ポリマー粒子へと調製されること；
該超吸収性ポリマー組成物が、超吸収性ポリマー組成物粒子を形成する次の添加剤：
ｉ）超吸収性ポリマー組成物を基準として０．００１重量％〜５重量％の表面架橋剤
をさらに含み；
そして超吸収性ポリマー組成物を基準として０．０１重量％〜５重量％の抗酸化剤が、架橋ヒドロゲル又はその後の超吸収性ポリマー粒子若しくは超吸収性ポリマー組成物粒子のいずれの形態でもよい重合体に加えられ、該超吸収性ポリマー組成物が、自由膨張ゲルベッド浸透性試験により測定したときに少なくとも６Ｄａｒｃｙの自由膨張ゲルベッド浸透性を有することを特徴とする、超吸収性ポリマー組成物。
【請求項２】
４０℃及び相対湿度８０％で４９日間の貯蔵後、白色度試験により測定したときに、少なくとも７．５の白色度を示す、請求項１に記載の超吸収性ポリマー組成物。
【請求項３】
熱開始剤が、過硫酸ナトリウム、過硫酸カリウム、過硫酸アンモニウム、ｔ−ブチルペルオキシド、メチルエチルケトンペルオキシド、アゾニトリル化合物、アゾアミジン化合物、環状アゾアミジン化合物、アゾアミド化合物、アルキルアゾ化合物、２，２’−アゾビス（２−アミジノプロパン）ジヒドロクロリド、又は２，２’−アゾビス（２−（２−イミダゾリン−２−イル）プロパン）ジヒドロクロリドから選択される、請求項１又は２に記載の超吸収性ポリマー組成物。
【請求項４】
抗酸化剤が、２−ヒドロキシ−２−スルフィナト酢酸、及び２−ヒドロキシ−２−スルホナト酢酸、又はこれらの塩を含む、請求項１〜３のいずれか１項に記載の超吸収性ポリマー組成物。
【請求項５】
添加剤が、ｉｉｉ）超吸収性ポリマー組成物を基準として、０．０１重量％〜５重量％のポリマーコーティングをさらに含む、請求項１〜４のいずれか１項に記載の超吸収性ポリマー組成物。
【請求項６】
前記ポリマーコーティングが、乾燥超吸収性ポリマー組成物を基準として、０．０１重量％〜０．５重量％の熱可塑性ポリマーを含む、請求項１〜５のいずれか１項に記載の超吸収性ポリマー組成物。
【請求項７】
ポリマーコーティングが、ポリオレフィン、ポリエチレン、ポリエステル、ポリウレタン、線状低密度ポリエチレン、エチレンアクリル酸コポリマー、スチレンコポリマー、エチレンアルキルメタクリレートコポリマー、ポリプロピレン、マレエート化ポリプロピレン、エチレン酢酸ビニルコポリマー、ポリアミド、ポリエステル、又はこれらの混合物及びコポリマーから選択される、請求項６に記載の超吸収性ポリマー組成物。
【請求項８】
ポリマーコーティングが、マレエート化ポリプロピレンを含む、請求項６に記載の超吸収性ポリマー組成物。
【請求項９】
ポリマーコーティングがカチオン性ポリマーを含む、請求項５に記載の超吸収性ポリマー組成物。
【請求項１０】
ポリマーコーティングがポリビニルアミンを含む、請求項９に記載の高容量超吸収性ポリマー組成物。
【請求項１１】
少なくとも５０重量％の超吸収性ポリマー組成物が、３００μｍ〜６００μｍの粒子径を有する、請求項１〜１０のいずれか１項に記載の超吸収性ポリマー組成物。
【請求項１２】
自由膨張ゲルベッド浸透性試験により測定したときに、少なくとも１０Ｄａｒｃｙの自由膨張ゲルベッド浸透性を有する、請求項１〜１１のいずれか１項に記載の超吸収性ポリマー組成物。
【請求項１３】
ｉ）超吸収性ポリマー組成物を基準として、０．０１重量％〜５重量％のポリマーコーティング；及びｉｉ）超吸収性ポリマー組成物を基準として０．０１重量％〜５重量％の抗酸化剤で処理された超吸収性ポリマー粒子表面を含む超吸収性ポリマーを含み、抗酸化剤が、架橋ヒドロゲル又はその後の超吸収性ポリマー粒子若しくは超吸収性ポリマー組成物粒子のいずれの形態でもよい重合体に加えられていることを特徴とする、超吸収性ポリマー組成物。
【請求項１４】
４０℃及び相対湿度８０％で４２日間の貯蔵後、白色度試験により測定したときに、少なくとも７．５の白色度を示す、請求項１３に記載の超吸収性ポリマー組成物。
【請求項１５】
熱開始剤が、過硫酸ナトリウム、過硫酸カリウム、過硫酸アンモニウム、ｔ−ブチルペルオキシド、メチルエチルケトンペルオキシド、アゾニトリル化合物、アゾアミジン化合物、環状アゾアミジン化合物、アゾアミド化合物、アルキルアゾ化合物、２，２’−アゾビス（２−アミジノプロパン）ジヒドロクロリド、又は２，２’−アゾビス（２−（２−イミダゾリン−２−イル）プロパン）ジヒドロクロリドから選択される、請求項１３又は１４に記載の超吸収性ポリマー組成物。
【請求項１６】
抗酸化剤が、２−ヒドロキシ−２−スルフィナト酢酸、及び２−ヒドロキシ−２−スルホナト酢酸、又はこれらの塩を含む、請求項１３〜１５のいずれか１項に記載の超吸収性ポリマー組成物。
【請求項１７】
ａ）超吸収性ポリマーを基準として５５重量％〜９９．９重量％の重合性不飽和酸基含有モノマー、及び重合性不飽和酸基含有モノマーを基準として０．００１重量％〜５重量％の内部架橋剤、及び重合性不飽和酸基含有モノマーを基準として５０ｐｐｍ〜１０００ｐｐｍの熱開始剤を重合するプロセスによって、２５％を超える中和度を有する超吸収性ポリマーを調製する工程；
ｂ）前記ａ）の成分をヒドロゲルへと重合する工程；
ｃ）前記超吸収性ポリマーから超吸収性ポリマー粒子を調製する工程；
ｄ）ｉ）超吸収性ポリマー組成物を基準として０．００１重量％〜５重量％の表面架橋剤を含む表面添加剤によって、超吸収性ポリマー粒子を処理する工程
を含み、
超吸収性ポリマー組成物を基準として０．０１重量％〜５重量％の抗酸化剤が、架橋ヒドロゲル又はその後の超吸収性ポリマー粒子若しくは超吸収性ポリマー組成物粒子のいずれの形態でもよい重合体に加えられ、超吸収性ポリマー組成物が、自由膨張ゲルベッド浸透性試験により測定したときに少なくとも６Ｄａｒｃｙの自由膨張ゲルベッド浸透性を有することを特徴とする、超吸収性ポリマー組成物の製造方法。
【請求項１８】
４０℃及び相対湿度８０％で４２日間の貯蔵後、白色度試験により測定したときに、少なくとも７．５の白色度を示す、請求項１７に記載の超吸収性ポリマー組成物の製造方法。
【請求項１９】
熱開始剤が、過硫酸ナトリウム、過硫酸カリウム、過硫酸アンモニウム、ｔ−ブチルペルオキシド、メチルエチルケトンペルオキシド、アゾニトリル化合物、アゾアミジン化合物、環状アゾアミジン化合物、アゾアミド化合物、アルキルアゾ化合物、２，２’−アゾビス（２−アミジノプロパン）ジヒドロクロリド、又は２，２’−アゾビス（２−（２−イミダゾリン−２−イル）プロパン）ジヒドロクロリドから選択される、請求項１７又は１８に記載の超吸収性ポリマー組成物の製造方法。
【請求項２０】
抗酸化剤が、２−ヒドロキシ−２−スルフィナト酢酸、及び２−ヒドロキシ−２−スルホナト酢酸、又はそれらの塩若しくは誘導体を含む、請求項１７〜１９のいずれか１項に記載の超吸収性ポリマー組成物の製造方法。
【請求項２１】
添加剤が、ｉｉｉ）超吸収性ポリマー組成物を基準として０重量％〜５重量％のポリマーコーティングをさらに含む、請求項１７〜２０のいずれか１項に記載の超吸収性ポリマー組成物の製造方法。
【請求項２２】
前記ポリマーコーティングが、乾燥超吸収性ポリマー組成物を基準として０．０１重量％〜０．５重量％の熱可塑性ポリマーである、請求項２１に記載の超吸収性ポリマー組成物の製造方法。
【請求項２３】
ポリマーコーティングが、ポリオレフィン、ポリエチレン、ポリエステル、ポリウレタン、線状低密度ポリエチレン、エチレンアクリル酸コポリマー、スチレンコポリマー、エチレンアルキルメタクリレートコポリマー、ポリプロピレン、マレエート化ポリプロピレン、エチレン酢酸ビニルコポリマー、ポリアミド、ポリエステル、又はこれらの混合物及びコポリマーから選択される、請求項２２に記載の超吸収性ポリマー組成物の製造方法。
【請求項２４】
ポリマーコーティングがマレエート化ポリプロピレンを含む、請求項２１〜２３のいずれか１項に記載の超吸収性ポリマー組成物の製造方法。
【請求項２５】
ポリマーコーティングがカチオン性ポリマーを含む、請求項２１〜２４のいずれか１項に記載の超吸収性ポリマー組成物の製造方法。
【請求項２６】
ポリマーコーティングがポリビニルアミンを含む、請求項２１〜２５のいずれか１項に記載の超吸収性ポリマー組成物の製造方法。
【請求項２７】
ａ）超吸収性ポリマーを基準として５５重量％〜９９．９重量％の、重合性不飽和酸基含有モノマーの超吸収性ポリマー；及び
ｂ）重合性不飽和酸基含有モノマーを基準として０．００１重量％〜５重量％の内部架橋剤；
ｃ）重合性不飽和酸基含有モノマーを基準として５０ｐｐｍ〜１０００ｐｐｍの熱開始剤
を含む超吸収性ポリマーを含む超吸収性ポリマー組成物であって、
該超吸収性ポリマーが２５％を超える中和度を有し；成分ａ）、ｂ）及びｃ）が重合されて架橋ヒドロゲルとなり、次に、このヒドロゲルが超吸収性ポリマー粒子へと調製されること；
超吸収性ポリマー組成物が、超吸収性ポリマー組成物粒子を形成する次の添加剤：
ｉ）超吸収性ポリマー組成物を基準として０．００１重量％〜５重量％の表面架橋剤
をさらに含み；そしてスルフィン酸、２−ヒドロキシ−２−スルフィナト酢酸、２−ヒドロキシ−２−スルホナト酢酸又はスルホン酸、及びこれらの塩又は誘導体から選択される、超吸収性ポリマー組成物を基準として０．０１重量％〜５重量％の抗酸化剤が、架橋ヒドロゲル又はその後の超吸収性ポリマー粒子若しくは超吸収性ポリマー組成物粒子のいずれの形態でもよい重合体に加えられていることを特徴する、超吸収性ポリマー組成物。
【請求項２８】
４０℃及び相対湿度８０％で４２日間の貯蔵後、白色度試験により測定したときに、少なくとも７．５の白色度を示す、請求項２７に記載の超吸収性ポリマー組成物。